(57)【要約】      （修正有）【課題】専用の衣類を用いることなく、任意の衣類に装着でき、指圧部の位置を自在に調整できる腰用指圧器具を提供する。【解決手段】指圧部１５を設けた指圧片１１、指圧片１１に連結された装着片１２を備え、指圧片１１と装着片１２との間で衣類の腰周り付近を挟持して装着される腰用指圧器具１０であって、指圧片１１と装着片１２の一方に第１本体部１１ａと、該本体部１１ａに設けた第１連結部１１ｂと、該連結部１１ｂの近傍に設けた弾性変位部１１ｇとを備え、指圧片１１と装着片１２の他方に第２本体部１２ａと、該本体部１２ａに設けられて第１連結部１１ｂと回動可能に連結された第２連結部１２ｂと、該連結部１２ｂの近傍に設けた第１本体部１１ａと第２本体部１２ａとの対向状態で弾性変位部１１ｇを加圧可能な加圧部１２ｄとを備え、加圧部１２ｄが弾性変位部１１ｇを加圧して第１本体部１１ａと第２本体部１２ａとが近接する方向に付勢される。【選択図】図１
2006334254.tif 000002
【特許請求の範囲】
【請求項１】
第１の挟持片と第２の挟持片とが開閉可能に一端側で連結されると共に、一方の挟持片に腰を押圧するための指圧部が設けられ、第１の挟持片と第２の挟持片との間で衣類の腰周り付近に配置される端部を挟持することにより装着される腰用指圧器具であって、
第１の挟持片には、第１の本体部と、第１の本体部の一端側に設けられた第１の連結部と、第１の連結部の近傍に弾性変位可能に設けられた弾性変位部とを備え、
第２の挟持片には、第１の本体部に対して対向可能に配置された第２の本体部と、第２の本体部の一端側に設けられて第１の連結部と回動可能に連結された第２の連結部と、第２の連結部の近傍に設けられて第１の本体部と第２の本体部との対向状態で弾性変位部を加圧可能な加圧部とを備え、
加圧部が弾性変位部を加圧することで第１の本体部と第２の本体部とが近接する方向に付勢されることを特徴とする腰用指圧器具。
【請求項２】
指圧部が設けられた挟持片の長さが、他方の挟持片の長さより短いことを特徴とする請求項１に記載の腰用指圧器具。
【請求項３】
弾性変位部が、第１の本体部の一部を切断して形成された第１の本体部と一体の弾性片からなることを特徴とする請求項１又は２に記載の腰用指圧器具。
【請求項４】
加圧部が、第２の連結部を介して第２の本体部とは反対側に設けられ、且つ、第１の本体部と第２の本体部との対向状態で弾性変位部を第２の本体部側から加圧すると共に、第１の本体部と第２の本体部との展開状態で加圧を解除するように構成されたことを特徴とする請求項３に記載の腰用指圧器具。
【請求項５】
加圧部が、第１の本体部と第２の本体部との対向状態で、弾性変位部に対して第１の本体部側に傾斜して当接することを特徴とする請求項４に記載の腰用指圧具。
【発明の詳細な説明】
【技術分野】
【０００１】
本発明は、腰を押圧するための指圧部を衣類の腰周りに配置して、腰を指圧部により押圧することで指圧効果を得るための腰用指圧器具に関するものである。
【背景技術】
【０００２】
人体のツボ等を押圧して指圧効果を得るために、突起等の指圧部を備えた各種の物品が多数提案されており、衣類に指圧部を設けて、その指圧部により腰を押圧するものとして、例えば、下記特許文献１乃至は３のようなものが知られている。
【０００３】
特許文献１では、腹帯の背面側の内側に貼り合せ布を配置し、この貼り合せ布にツボを押圧する駒器具を接合した構成を有する「腰・背筋のツボを自在に選び押圧する腹帯・駒器具」が提案されている。
【０００４】
特許文献２の器具では、肌着の一部を二重にしてセラミック本体を配置し、セラミック本体による遠赤外線の効果と共に、セラミック本体の厚みを利用して指圧効果を得るツボマッサージ肌着が提案されている。
【０００５】
特許文献３は、衣類の内側に接着や編み込みやボタン留めなどの方法で、ツボを指圧するための突起を取り付けた構成を有する指圧着が提案されている。
【０００６】
これらでは、何れも突起等の指圧部が衣類に配置されているので、その衣類を着衣した状態で、指圧部によりツボを押圧することができ、指圧効果を得ることが期待できる。
【０００７】
【特許文献１】特開平１１−２７６５４６号公報
【特許文献２】特開２００３−１８０７９４号公報
【特許文献３】特開２００２−５２０６２号公報
【発明の開示】
【発明が解決しようとする課題】
【０００８】
しかし、上記のように衣類に指圧部を配置するものでは、予め衣類に指圧部を装着し、或いは、衣類に指圧部を配置するための貼り合せファスナやボタン等の手段を設けなければならない。そのため、指圧部を配置可能な専用の衣類が必要で、使用し難いという問題点があった。
【０００９】
また、衣類に指圧部を配置するための手段を設けた場合、指圧部の装着位置を広い範囲で調整可能にするためには、その手段を多数設けたり、広い範囲に設けなければならず、指圧部の位置を調整し難いという問題点もあった。
【００１０】
本発明では、専用の衣類を用いることなく、任意の衣類に装着でき、しかも、指圧部の位置を自在に調整できる腰用指圧器具を提供することを課題とする。
【課題を解決するための手段】
【００１１】
上記課題を解決する請求項１の発明は、第１の挟持片と第２の挟持片とが開閉可能に一端側で連結されると共に、一方の挟持片に腰を押圧するための指圧部が設けられ、第１の挟持片と第２の挟持片との間で衣類の腰周り付近に配置される端部を挟持することにより装着される腰用指圧器具であって、第１の挟持片には、第１の本体部と、第１の本体部の一端側に設けられた第１の連結部と、第１の連結部の近傍に弾性変位可能に設けられた弾性変位部とを備え、第２の挟持片には、第１の本体部に対して対向可能に配置された第２の本体部と、第２の本体部の一端側に設けられて第１の連結部と回動可能に連結された第２の連結部と、第２の連結部の近傍に設けられて第１の本体部と第２の本体部との対向状態で弾性変位部を加圧可能な加圧部とを備え、加圧部が弾性変位部を加圧することで第１の本体部と第２の本体部とが近接する方向に付勢されることを特徴とする。
【００１２】
請求項２に記載の発明は、指圧部が設けられた挟持片の長さが、他方の挟持片の長さより短いことを特徴とする。
【００１３】
請求項３に記載の発明は、弾性変位部が、第１の本体部の一部を切断して形成された第１の本体部と一体の弾性片からなることを特徴とする。
【００１４】
請求項４に記載の発明は、加圧部が、第２の連結部を介して第２の本体部とは反対側に設けられ、且つ、第１の本体部と第２の本体部との対向状態で弾性変位部を第２の本体部側から加圧すると共に、第１の本体部と第２の本体部との展開状態で加圧を解除するように構成されたことを特徴とする。
【００１５】
請求項５に記載の発明は、加圧部が、第１の本体部と第２の本体部との対向状態で、弾性変位部に対して第１の本体部側に傾斜して当接することを特徴とする。
【発明の効果】
【００１６】
請求項１に記載の発明によれば、第１の挟持片と第２の挟持片とが一端側の第１及び第２の連結部により開閉可能に連結されていて、第１の本体部と第２の本体部とを対向状態にすることにより、第１の挟持片の弾性変位部を第２の挟持片の加圧部で加圧して、第１の本体部と第２の本体部とを近接する方向に付勢できるので、第１の本体部と第２の本体部との間に衣類の腰周り付近の端部を配置して閉じるだけで、衣類を付勢状態で挟持して装着することができる。そのため、任意の衣類に装着可能であると共に、衣類の任意の部位に装着できるため指圧部の位置を広い範囲で自在に調整できる。また、連結部が設けられていない第１及び第２の挟持片の他端側間を互いに係合させる必要がないため、装着が容易であると共に、連結部が設けられていない他端側をコンパクトに構成して余分な突出部位を形成し難いため広い範囲で均一な指圧力を得易い。
【００１７】
請求項２に記載の発明によれば、一端側で第１及び第２の挟持片を連結すると共に付勢することにより、他端側でこれらを係合する必要がないため、指圧部が設けられた挟持片の長さを他方の挟持片の長さより短く構成することができ、その結果、一方の挟持片を衣類の外側に配置しても目立たず、装着時に衣類の外観を悪化し難い。
【００１８】
請求項３に記載の発明によれば、弾性変位部が板状の第１の本体部の一部に切込みを設けることにより第１の本体部と一体に形成された弾性片からなるので、弾性変位部の構成を簡単にして第１及び第２の挟持片を連結する一端部側を薄肉にでき、余分な突出部分を抑えて均一な指圧力を得易くすることができる。
【００１９】
請求項４に記載の発明によれば、加圧部が第２の連結部を介して第２の本体部とは反対側に設けられ、且つ、第１の本体部と第２の本体部との対向状態で弾性変位部を第２の本体部側から加圧すると共に、第１の本体部と第２の本体部との展開状態で加圧を解除するように構成されているので、装着時に第１及び第２の挟持片を開けば、第１の本体部と第２の本体部とを近接させる方向の付勢力を生じないため、腰用指圧器具の装着作業を行い易く、その後に第１及び第２の挟持片を閉じるだけで、近接させる方向の付勢力が得られるため、簡単な構造で使い勝手を向上することができる。
【００２０】
請求項５に記載の発明によれば、加圧部が、第１の本体部と第２の本体部との対向状態で、弾性変位部に対して第１の本体部側に傾斜して当接するので、簡単な構成で第１及び第２の挟持片を閉じた状態で維持させることができる。
【発明を実施するための最良の形態】
【００２１】
この実施の形態の腰用指圧器具１０は、図１乃至は図３に示すように、指圧部としての筒状成形体１５が固定して設けられた第１の挟持片としての指圧片１１と、指圧片１１と一端側の開閉連結部１３で開閉可能に連結された第２の挟持片としての装着片１２とを備えている。
【００２２】
ここでは、指圧片１１、装着片１２は、金属板、金属成形体、樹脂板、樹脂成形体などの任意の材料から形成でき、この実施の形態では、指圧片１１及び装着片１２は、一枚の金属等の板状体の板金成形体からなっている。また、筒状成形体１５は、樹脂、ゴム等の弾性材料、金属、木材などの任意の材料から形成でき、この実施の形態では、ゴム成形体からなっている。
【００２３】
指圧片１１は、図１乃至は図３に示すように、筒状成形体１５を中空部１５ａ側から支持する帯板状の第１の本体部としての指圧プレート本体１１ａと、指圧プレート本体１１ａの一端側に、筒状成形体１５の端部から露出すると共に指圧プレート本体１１ａの一方の面側に突出して設けられた第１の連結部としての一対の軸受片１１ｂと、一対の軸受片１１ｂのそれぞれに同軸に形成された軸受孔１１ｅと、この軸受片１１ｂ側の端部付近で筒状成形体１５を指圧プレート本体１１ａに固定するための固定リベット１１ｃと、指圧プレート本体１１ａの他端側に筒状成形体１５を固定するように折り返して形成された折返し固定片１１ｄとを備えている。
【００２４】
指圧片１１の軸受片１１ｂの近傍には、図４及び図５に示すように、指圧プレート本体１１ａに略コ字状の切断部１１ｆを長手方向に沿って設けることにより、弾性変位部としての板状弾性片１１ｇが形成されている。この板状弾性片１１ｇは長手方向の中心側で指圧プレート本体１１ａと連結しており、帯状の指圧プレート本体１１ａの面と直交する方向に弾性変位可能となっている。板状弾性片１１ｇの外側の端部は、側面視において、軸受孔１１ｅより外側に配置されている。
【００２５】
装着片１２は、指圧片１１の長さより短く形成されており、図１乃至は図３に示すように、筒状成形体１５の外側に配置され、指圧プレート本体１１ａに対して対向可能な帯板状の第２の本体部としての装着プレート本体１２ａと、装着プレート本体１２ａの一端側に、装着プレート本体１２ａの一方の面側に突出して形成された第２連結部としての回動基部１２ｂと、各回動基部１２ｂの側縁にそれぞれ同軸に突出して設けられ、軸受片１１ｂの軸受孔１１ｅに軸支された板状の回動軸片１２ｃと、装着プレート本体１２ａ及び回動基部１２ｂから連続して形成された板状弾性片１１ｇを加圧可能な加圧部としての加圧突片１２ｄとを備えている。
【００２６】
装着プレート本体１２ａは長手方向両側の縁部１２ｆがそれぞれ指圧プレート本体１１ａ側に湾曲されて形成されており、指圧片１１と装着片１２とを閉じると、装着プレート本体１２ａが筒状成形体１５と接触可能となっている。
【００２７】
加圧突片１２ｄは、図６及び図７に示すように、回動基部１２ｂから同じ向きに突出して設けられており、ここでは、装着プレート本体１２ａと加圧突片１２ｄとが９０°より大きい角度となっている。
この加圧突片１２ｄは、板状弾性片１１ｇ側となる端縁が円弧形状を有しており、その頂部１２ｅが回動基部１２ｂの回動軸片１２ｃを介して装着プレート本体１２ａとは反対側となる位置に配置されている。ここでは、加圧突片１２ｄの頂部１２ｅと装着プレート本体１２ａとが回動軸片１２ｃを支点に揺動可能となっている。
【００２８】
この実施の形態の腰用指圧器具１０では、装着片１２の回動軸片１２ｃ及び加圧突片１２ｄと、指圧片１１の軸受片１１ｂ及び板状弾性片１１ｇが、所定の位置関係となっている。
即ち、指圧片１１と装着片１２とを連結させた状態において、指圧プレート本体１１ａと装着プレート本体１２ａとを対向させた対向状態では、加圧突片１２ｄに沿う方向の軸受孔１１ｅと板状弾性片１１ｇとの間の図５の距離Ｌ１が、回動軸片１２ｃと加圧突片１２ｄの頂部１２ｅとの間の図７の距離Ｌ２より小さい。同時に、指圧プレート本体１１ａと装着プレート本体１２ａとの対向状態を解除した展開状態では、加圧突片１２ｄに沿う軸受孔１１ｅと板状弾性片１１ｇとの間の図５の距離L３が、回動軸片１２ｃと加圧突片１２ｄの頂部１２ｅとの間の図７の距離Ｌ２より大きくなっている。
ここで、Ｌ１、Ｌ２、Ｌ３は、それぞれ回動軸心が存在する場合には、回動軸心からの距離としてもよい。
【００２９】
このような位置関係とすることにより、指圧プレート本体１１ａと装着プレート本体１２ａとの対向状態では、加圧突片１２ｄの頂部１２ｅが板状弾性体１１ｇを加圧した状態となり、指圧プレート本体１１ａと装着プレート本体１２ａとの展開状態では、加圧突片１２ｄの頂部１２ｅが板状弾性体１１ｇを加圧しない状態となる。
【００３０】
更に、指圧プレート本体１１ａと装着プレート本体１２ａとの対向状態では、図２に示すように、加圧突片１２ｄの頂部１２ｅが板状弾性片１１ｇに対して指圧プレート本体１１ａ側に傾斜した角度で当接するようになっている。
【００３１】
次に、このような構成の腰用指圧器具を衣類としてのズボン等の下穿きに装着して使用する方法について説明する。
まず、図１及び図８に示すように、指圧片１１と装着片１２とを開閉連結部１３を中心に拡開させ、指圧プレート本体１１ａと装着プレート本体１２ａとを展開状態にし、下穿きＰを着衣した状態で下穿きＰの腰周り付近に配置された端部の端縁Ｐａから、筒状成形体１５が固定された指圧片１１を開閉連結部１３が設けられていない端部側を下向きにして下穿きＰの内側に挿入すると共に、装着片１２を下穿きＰの外側に配置する。
【００３２】
そして、筒状成形体１５の指圧面１５ｃを、腰の指圧効果を付与したいツボ等の部位に対応する位置に配置する。
その際、指圧プレート本体１１ａと装着プレート本体１２ａとの展開状態では、加圧突片１２ｄの頂部１２ｅが板状弾性片１１ｇから開放されているので、加圧突片１２ｄが板状弾性片１１ｇを加圧しない範囲に配置されることにより、指圧プレート本体１１ａと装着プレート本体１２ａとが所定以上の角度で維持されている。更に、その状態で開閉連結部１３が下穿きＰの端縁Ｐａの上方に配置されるため、開閉連結部１３を端縁Ｐａに掛け下げることができ、容易に装着操作を行うことができる。
【００３３】
その後、筒状成形体１５を所望の位置に配置して、指圧片１１と装着片１２とを開閉連結部１３を中心に閉じれば、腰用指圧器具１０を装着することができる。
この装着時には、図１及び図２に示すように、指圧プレート本体１１ａと装着プレート本体１２ａとを開閉連結部１３で回動させることにより両者間の角度を小さくする。これにより、加圧突片１２ｄが回動軸片１２ｃを中心に回動し、加圧突片１２ｄの頂部１２ｅが板状弾性片１１ｇに当接し、更に装着片１２側から加圧して板状弾性片１１ｇを弾性変位させることができる。
【００３４】
更に、装着プレート本体１２ａを筒状成形体１５の表面に接する程度にまで回動させて、装着プレート本体１２ａと指圧プレート本体１１ａとを対向状態にすると、長手方向において、回動軸片１２ｃを介して一方側に加圧突片１２ｄの頂部１２ｅが配置され、他方側に装着プレート本体１２ａが配置される。この状態で、加圧突片１２ｄの頂部１２ｅが板状弾性片１１ｇを加圧しているため、その反力により、装着プレート本体１２ａが指圧プレート本体１１ａ側に近接する方向に付勢されて、筒状成形体１５に圧着される。
その結果、装着プレート本体１２ａと筒状成形体１５との間で下穿きＰを付勢した状体で挟持することができ、腰用指圧器具１０を下穿きＰに固定した状態で維持することができる。
この実施の形態では、図９に示すように、２つの腰用指圧器具を下穿きＰに装着するため、このような装着操作を２度行うことにより装着を完了することができる。
【００３５】
この状態で下穿きＰを着衣していると、下穿きＰに装着されているゴムや生地の弾性等により筒状成形体１５の指圧面１５ｃを腰に圧接させることができ、指圧効果が得られる。下穿きＰに重ねてズボン等を着衣し、ベルト等を装着すれば、筒状成形体１５の指圧面１５ｃをより強く腰に圧接させることができる。更に、腰用指圧器具を装着状態で、座席に着座した場合には、座席の背もたれにより、更に強く腰に圧接させることができ、大きな指圧効果が得られる。
この腰用指圧器具では、筒状成形体１５の材質や、大きさ、厚さ等を調整して弾性力を調整することにより、筒状成形体１５の指圧面１５ｃによる指圧の程度を調整してもよい。
【００３６】
腰用指圧器具１０の装着状態では、腰用指圧器具１０が装着されていない通常の状態の下穿きＰと全く同様に着衣或いは脱衣などを行うことができる。同時に、下穿きＰの内部に配置されるため、装着した状態で外部から腰用指圧器具が視認されず、外観が良好に保たれる。
【００３７】
以上のような腰用指圧器具１０によれば、指圧片１１と装着片１２とが一端側の開閉連結部１３の軸受片１１ｂと回動基部１２ｂとにより開閉可能に連結されていて、指圧プレート本体１１ａと装着プレート本体１２ａとを対向状態とすることにより、板状弾性片１１ｇを加圧突片１２ｄで加圧して、両者を近接させる方向に付勢できるので、指圧片１１と装着片１２との間に衣類Ｐの腰周り付近の部位を配置して閉じるだけで、指圧片１１と装着片１２との間で衣類を付勢状態で挟持することができ、そのために、任意の衣類Ｐに装着可能であると共に、衣類Ｐの任意の部位に装着できるため、筒状成形体１５の指圧面１５ｃの位置を広い範囲で自在に調整できる。
また、開閉連結部１３が設けられていない他端側間を互いに係合させる必要がないため、装着が容易であると共に、開閉連結部１３が設けられていない他端側をコンパクトに構成することができて余分な突出部位を形成し難いため、広い範囲で指圧力を均一に得易い。
【００３８】
このように、一端側で指圧片１１と装着片１２とを連結すると共に付勢することにより、他端側でこれらを係合する必要をなくすことができると、装着片１２の長さを指圧片１１の長さより短く構成することが容易で、その結果、装着片１２を衣類Ｐの外側に配置しても目立たず、装着時に衣類Ｐの外観を悪化し難くできる。
【００３９】
この実施の形態では、弾性変位部として指圧プレート本体１１ａの一部に切込み切断部１１ｆを設けることにより指圧プレート本体１１ａと一体に形成された板状弾性片１１ｇからなるので、構成を簡単にして指圧片１１と装着片１２とを連結する開閉連結部１３を薄肉にでき、余分な突出部分を抑えて装着時に均一な指圧力を得易くすることができる。
【００４０】
加圧突片１２ｄが、回動軸片１２ｃを介して装着プレート本体１２ａとは反対側に設けられ、且つ、指圧プレート本体１１ａと装着プレート本体１２ａとの対向状態で板状弾性片１１ｇを装着プレート本体１２ａ側から加圧すると共に、指圧プレート本体１１ａと装着プレート本体１２ａとの展開状態で加圧を解除する大きさを有するので、装着時に指圧片１１と装着片１２とを開けば、指圧プレート本体１１ａと装着プレート本体１２ａとを近接させる方向の付勢力は生じないため、腰用指圧器具１０の装着作業を行い易く、その後に指圧片１１と装着片１２とを閉じるだけで、近接させる方向の付勢力が得られるため、簡単な構造で使い勝手を向上することができる。
【００４１】
この加圧部が、指圧プレート本体１１ａと装着プレート本体１２ａとの対向状態で、板状弾性片１１ｇに対して指圧プレート本体１１ａ側に傾斜して当接するので、簡単な構成で指圧片１１と装着片１２とを閉じた状態で維持させることができる。
【００４２】
なお、上記実施の形態では、指圧部として、筒状成形体１５を例示したが、特に限定されるものではなく、指圧可能な部材であれば適宜変更可能である。
また、上記では、腰用指圧器具１０を下穿きＰに装着した例について説明したが、上着等であってもよく、任意の衣類に装着可能である。
【図面の簡単な説明】
【００４３】
【図１】本発明の実施の形態の腰用指圧器具の断面図である。
【図２】図１の部分拡大図である。
【図３】図１の腰用指圧器具の側面図である。
【図４】図１の腰用指圧器具の指圧片の平面図である。
【図５】図４の指圧片の部分断面図である。
【図６】図１の腰用指圧器具の装着片の平面図である。
【図７】図６の装着片の部分正面図である。
【図８】図１の腰用指圧器具の装着方法を説明する図である。
【図９】同腰用指圧器具の装着状態を示す斜視図である。
【符号の説明】
【００４４】
１０    腰用指圧器具
１１    指圧片
１１ａ  指圧プレート本体
１１ｂ  軸受片
１１ｅ  軸受孔
１１ｇ  板状弾性片
１２    装着片
１２ａ  装着プレート本体
１２ｂ  回動基部
１２ｃ  回動軸片
１２ｄ  加圧突片
１２ｅ  頂部
１３    開閉連結部
１５    筒状成形体
１５ａ  指圧面
１５ｃ  中空部
【図１】
2006334254.tif 000003
【図２】
2006334254.tif 000004
【図３】
2006334254.tif 000005
【図４】
2006334254.tif 000006
【図５】
2006334254.tif 000007
【図６】
2006334254.tif 000008
【図７】
2006334254.tif 000009
【図８】
2006334254.tif 000010
【図９】
2006334254.tif 000011